(57)【特許請求の範囲】
【請求項１】
電子マネーの残高を格納し、外部装置と非接触通信により会計処理を行う非接触ＩＣカード機能部と、
外部音声出力機器と接続して音声を出力する音声出力インタフェースと、
前記電子マネーの残高が所定額以下となった場合、前記音声出力インタフェースに外部音声出力機器が接続されていると、前記音声出力インタフェースを介してその旨を通知し、前記音声出力インタフェースに外部音声出力機器が接続されていないと、当該外部音声出力機器が接続された際に、前記音声出力インタフェースを介してその旨を通知するために、その旨の情報を格納する制御部と、を備え、
前記制御部は、前記その旨を通知するとともに、電子マネーの残高も報知することを可能にすることを特徴とする携帯端末装置。
【請求項２】
定期券の乗車区間及び有効期限を格納し、外部装置と非接触通信により乗降駅及び乗降日に関するデータの授受を行う非接触ＩＣカード機能部と、
外部音声出力機器と接続して音声を出力する音声出力インタフェースと、
前記非接触ＩＣカード機能部に格納されている前記定期券の有効期限が所定の日数以下である場合、前記音声出力インタフェースに外部音声出力機器が接続されていると、前記音声出力インタフェースを介してその旨を通知し、前記音声出力インタフェースに外部音声出力機器が接続されていないと、当該外部音声出力機器が接続された際に、前記音声出力インタフェースを介してその旨を通知するために、その旨の情報を格納する制御部と、
を備え、
前記制御部は、前記その旨を通知するとともに、定期券の有効期限も報知することを可能にすることを特徴とする携帯端末装置。
【請求項３】
ポイントカードのポイント数及び該ポイントの有効期限を格納し、外部装置と非接触通信により前記ポイント数及び前記ポイントの有効期限に関するデータの授受を行う非接触ＩＣカード機能部と、
外部音声出力機器と接続して音声を出力する音声出力インタフェースと、
前記非接触ＩＣカード機能部に格納されている前記ポイントの有効期限が所定の日数以下である場合、前記音声出力インタフェースに外部音声出力機器が接続されていると、前記音声出力インタフェースを介してその旨を通知し、前記音声出力インタフェースに外部音声出力機器が接続されていないと、当該外部音声出力機器が接続された際に、前記音声出力インタフェースを介してその旨を通知するために、その旨の情報を格納する制御部と、
を備え、
前記制御部は、前記その旨を通知するとともに、ポイントの有効期限も報知することを可能にすることを特徴とする携帯端末装置。
【発明の詳細な説明】
【技術分野】
【０００１】
本発明は、非接触型ＩＣカードの機能を搭載し、電子マネー及び定期乗車券の機能を有する携帯端末装置に関する。
【背景技術】
【０００２】
一昔前で有れば、必ず携帯する機器と言えば腕時計であった。しかし最近では携帯端末装置に時計が有ることから、腕時計はせずに携帯端末装置の時計を見る人が増え、携帯端末装置が、必ず携帯する機器としての地位を確立している。また、携帯端末装置に集約されている機能は、メール、カメラ撮影、及び動画撮影と多岐にわたり、最近ではデジタルラジオ、ワンセグテレビ放送、及びシリコンオーディオと言った、長時間利用する機能まで搭載されている。
【０００３】
また近年は、非接触型ＩＣカードを用いた、電子マネーや乗車券などのプリペイド式の決済システムが普及しているが、この非接触型ＩＣカード機能の、携帯端末装置（携帯電話など）への搭載が進んでいる。このような携帯端末装置は、非接触型ＩＣカードと異なりビューアを使うことなく格納された内部情報を見ることができる、また専用端末を使用することなく、インターネット網を利用したチャージ（入金）や定期乗車券の継続期間の更新ができるなどの利点から、ユーザが急増している。
【０００４】
携帯端末装置における乗車券機能の残高管理方法としては、ユーザが乗車しようと入札ゲート（改札口）を通過するときに携帯端末装置と入札ゲートとの間で非接触通信を行って位置データを取得し、乗車中の位置データと料金データベースから自端末の電子マネーの残高不足を判定して、残高不足の場合ユーザに報知するものがある。このように前もって残高不足を報知してユーザにインターネット網よりチャージさせ、ユーザが改札を出る前に残高不足を解消し、改札の円滑な人の動きを妨げないようにしている（例えば、特許文献１参照）。
【特許文献１】特開２００６−２４３８０９号公報
【発明の開示】
【発明が解決しようとする課題】
【０００５】
しかしながら、上記特許文献による技術は、本質的には、乗車券機能の残高管理に限定されている。さらに、定期乗車券機能付き携帯端末装置においては、従来の磁気カード式定期乗車券のようにカード表面に有効期限が印刷されているわけではなく、ユーザが意識して操作しなければ有効期限を確認することができない。
【０００６】
非接触型ＩＣカードタイプの定期乗車券の場合でも、表面に有効期限が印刷されてはいるものの、改札機に通すためにパスケース（定期乗車券入れ）から出す動作が必要無いこと、パスケースや鞄の中でも通信可能なため表面側が見えるようにパスケースに入れる必要性が無く、さらに有効期限は目に付かなくなっている。その為、有効期限を確認させる意味で、改札ゲートの表示部に有効期限が近づくと期限が切れることを知らせるために表示がなされている。もし、携帯端末装置側の液晶パネルに同様の表示をしても、折り畳んだ状態では表示部は隠れて見えない。
【０００７】
さらに、最近のシリコンオーディオ機能を有する携帯端末装置においては、イヤホンで音楽を聴きながら家から目的地までの時間を潰すため、改札口の通過時にイヤホンを外すことなど無く、また音楽を楽しんでいるので改札ゲートの表示部など気にとめる事はない。したがって、定期乗車券の有効期限が近づいていることに気が付かないことが容易に想像できる。このことは、定期乗車券ではなく、電子マネー機能を用いて運賃を支払って乗車する場合も同様であり、残高不足に気が付かないことが考えられる。
【０００８】
また、電子マネーを利用して店舗での商品購入時の決済にはレシートに購入商品のリストと共に残金が記載されるが、よほどのことが無い限り、気に止めることもない。よって、店舗においても電子マネーの残金不足に気が付かないことが想定される。特に、店舗にある非接触式ＩＣカード用の端末では、残金不足を含むエラー時には支払完了時とは異なる電子音で利用者に報知している。しかし、イヤホン装着者にとっては電子音が聞こえないので、本人は支払ったつもりでいるが支払っていないことにより会計時に無駄な時間を費やし、周囲の人に迷惑を掛けることが想定される。
【０００９】
以上のようにイヤホンを利用している状態では、音楽に集中しているので改札口の表示を確認せず、携帯端末装置は閉じられた状態なので表示を見ることはない。もし、改札ゲート通過時に改札ゲート側から音声報知があったとしてもイヤホンを利用している状態では聞こえないことが多く、また周囲の人に聞かれてしまうと言った、本人に不具合で有るばかりでなく周囲に迷惑な現象が起きることが容易に想像できる。
【００１０】
したがって、係る点に鑑みてなされた本発明の目的は、電子マネー及び定期乗車券の機能を搭載した携帯端末装置であって、電子マネーの残高を確認すると共に常時一定金額を保有させ、定期乗車券やポイントカードのポイントの有効期限を、周囲に迷惑を及ぼすことなく事前にユーザが設定した方法およびタイミングで報知する携帯端末装置を提供することにある。
【課題を解決するための手段】
【００１１】
上記目的を達成する請求項１に係る携帯端末装置の発明は、
電子マネーの残高を格納し、外部装置と非接触通信により会計処理を行う非接触ＩＣカード機能部と、
外部音声出力機器と接続して音声を出力する音声出力インタフェースと、
前記電子マネーの残高が所定額以下となった場合、前記音声出力インタフェースに外部音声出力機器が接続されていると、前記音声出力インタフェースを介してその旨を通知し、前記音声出力インタフェースに外部音声出力機器が接続されていないと、当該外部音声出力機器が接続された際に、前記音声出力インタフェースを介してその旨を通知するために、その旨の情報を格納する制御部と、を備え、
前記制御部は、前記その旨を通知するとともに、電子マネーの残高も報知することを可能にすることを特徴とするものである。
【００１２】
請求項２に係る携帯端末装置の発明は、
定期券の乗車区間及び有効期限を格納し、外部装置と非接触通信により乗降駅及び乗降日に関するデータの授受を行う非接触ＩＣカード機能部と、
外部音声出力機器と接続して音声を出力する音声出力インタフェースと、
前記非接触ＩＣカード機能部に格納されている前記定期券の有効期限が所定の日数以下である場合、前記音声出力インタフェースに外部音声出力機器が接続されていると、前記音声出力インタフェースを介してその旨を通知し、前記音声出力インタフェースに外部音声出力機器が接続されていないと、当該外部音声出力機器が接続された際に、前記音声出力インタフェースを介してその旨を通知するために、その旨の情報を格納する制御部と、
を備え、
前記制御部は、前記その旨を通知するとともに、定期券の有効期限も報知することを可能にすることを特徴とするものである。
【００１３】
請求項３に係る携帯端末装置の発明は、
ポイントカードのポイント数及び該ポイントの有効期限を格納し、外部装置と非接触通信により前記ポイント数及び前記ポイントの有効期限に関するデータの授受を行う非接触ＩＣカード機能部と、
外部音声出力機器と接続して音声を出力する音声出力インタフェースと、
前記非接触ＩＣカード機能部に格納されている前記ポイントの有効期限が所定の日数以下である場合、前記音声出力インタフェースに外部音声出力機器が接続されていると、前記音声出力インタフェースを介してその旨を通知し、前記音声出力インタフェースに外部音声出力機器が接続されていないと、当該外部音声出力機器が接続された際に、前記音声出力インタフェースを介してその旨を通知するために、その旨の情報を格納する制御部と、
を備え、
前記制御部は、前記その旨を通知するとともに、ポイントの有効期限も報知することを可能にすることを特徴とするものである。
【発明の効果】
【００１４】
本発明によれば、携帯端末装置にイヤホンを装着しているユーザに対して、電子マネーの残高が少なくなっていることや定期券の有効期日が間近に迫っていることを、ユーザが所望するタイミングでイヤホンから警告することができる。さらに、電子マネーの残高や定期券の有効期限に問題がない場合は、音楽や音声等を中断されることなく聞くことができることで格段に利便性を向上させることができる。
【発明を実施するための最良の形態】
【００１５】
以降、諸図面を参照しながら、本発明による携帯端末装置の実施態様を詳細に説明する。携帯端末装置としては、携帯電話、ＰＤＡ（パーソナルデジタルアシスタント）、携帯ゲーム機、携帯オーディオプレイヤー、携帯ビデオプレイヤー、携帯電子辞書、携帯電子書籍ビューワーなどの携帯電子機器に幅広く本発明を適用することが可能である。
【００１６】
第１の実施の形態
図１は、本発明の第１の実施例に係る携帯端末装置のブロック図である。携帯端末装置１００は、少なくとも非接触ＩＣカード機能部１１０、ユーザが最低残高を設定する例えばテンキー等のユーザ設定部１５０、前記ユーザ設定部１５０で設定した最低残高を格納する設定情報記憶部１３２を含む記憶部１３０、各種情報を表示する液晶ディスプレイなどで構成される表示部１０５、外部に音を出力するスピーカ１４０、ユーザが耳に装着するイヤホン、ヘッドホン等の外部音声出力機器３００と前記スピーカ１４０の信号を切替え、音声を出力する音声出力インタフェース１９０、視聴用の音楽、音声信号などに報知音を付加する音声合成部１６０、アンテナＡＮＴ２を介して通話や無線データの送受信を行う送受信装置１７０、フラッシュメモリカード等の外部メモリ４００用の外部メモリインタフェース１８０、これら装置全体の制御を司る制御部１２０とを備えている。
【００１７】
非接触ＩＣカード機能部１１０は、電子マネーによる会計時の演算処理を行う管理部（典型的には、ＭＰＵ等の演算処理装置（プロセッサ）、および、管理ソフトウェアモジュールで構成される）１１２及び残高や履歴を格納する記憶部１１４を備えている。また、制御部１２０は、外部装置２００（例えば、店舗レジやＰＯＳ等の支払端末、または交通機関で運賃を支払うための支払装置）との非接触通信が行われた際に電子マネーの支払動作が発生したか否かを判定する動作判定部１２１、音声出力インタフェース１９０に外部音声出力機器３００が接続されているか否かを監視する接続監視部１２２、非接触通信が行われた際に電子マネーの演算処理後に設定情報記憶部１３２に格納された最低残高と記憶部１１４に記憶された電子マネーの残高とを比較する比較部１２３、電子マネーの残高が最低残高以下の場合にユーザにその旨を通知する通知部１２４、及び通知部１２４による通知のタイミングを設定する通知タイミング設定部１２５とを備えている。通知タイミング設定部１２５は、ユーザ設定部１５０などからの入力による設定に基づいて、電子マネーの残高が最低残高以下になったことを通知部１２４がユーザに通知するタイミングを設定する。
【００１８】
次に、本実施の形態の携帯端末装置における、電子マネーの残高が最低残高以下となった旨の報知を行うに際しての設定処理について説明する。まず、本実施の形態では、電子マネーが所定の最低残高以下になった場合にユーザに報知するにあたり、当該所定の最低残高の設定を受け付ける。図２は、携帯端末装置１００の表示部１０５における、上述の最低残高を設定する際の設定画面の一例である。このようにして設定される最低残高は、ユーザ設定部１５０により、ユーザが表示部１０５を見ながら最低残高を設定できるようにするのが好適である。なお、ユーザによる設定が行われない場合には、予め初期設定として前記設定情報記憶部１３２に格納された設定額を用いるようにしてもよい。
【００１９】
次に、第１の実施の形態に係る携帯端末装置１００による、電子マネーに関する報知タイミングの設定について説明する。図３は、携帯端末装置１００の表示部１０５において、電子マネーに関する報知タイミングを設定する際の設定画面の一例を示す図である。
【００２０】
本実施の形態では、電子マネーが設定された最低金額以下になった際に、その旨を報知するタイミングをいくつかの項目から選択して設定する。図３に示す例では、電子マネーが設定金額以下になった場合に報知するタイミングとして、「電子マネーの使用時ごとに報知」、「１日１回までの報知」などを、ラジオボタンの各種項目から選択できる。「電子マネーの使用時ごとに報知」の項目は、電子マネーが設定金額以下になってから非接触ＩＣカード機能部１１０により電子マネーに関する通信が行われるたびに、通知部１２４が報知を行う設定を想定している。「１日１回までの報知」の項目は、電子マネーが設定金額以下になってから、日付変更後に最初の電子マネー授受の通信が行われる場合には報知するが、それ以降は次の日付変更までは報知しない設定にすることにより、１日１回までの報知に制限する設定を想定している。その他、「電子マネー残高も報知」のチェックボックスに対する入力により、設定した報知タイミングで電子マネーの残高も報知するようにもできる。これらの各種設定項目について、ユーザ設定部１５０からの入力により受け付けた設定の情報は、設定情報記憶部１３２に格納する。
【００２１】
次に、図４のフローチャートを用いて、本発明の携帯端末装置における、電子マネーの支払時の動作及び残高が最低残高以下となった旨の報知動作を、例えばユーザが店舗で物品を購入した場合を想定して説明する。なお、非接触ＩＣカード機能部１１０内の記憶部１１４には非接触ＩＣカード機能の非接触通信もしくはインターネット等を介して、情報記憶部１３２に格納された最低残高以上の電子マネーが入金して有るものとする。まずユーザが店舗で物品を購入するために携帯端末装置１００を外部装置２００のリーダ・ライタ面（図示せず）にかざすと、非接触ＩＣカード機能部１１０のＡＮＴ１を介して外部装置２００（この場合、店舗レジ）との非接触通信が行われ、動作判定部１２１は、非接触ＩＣカード機能部１１０の非接触通信機能を利用した電子マネーの支払動作が発生したか否かを判定する（ステップＳ２１）。支払動作が発生した場合は、非接触ＩＣカード機能部１１０の管理部１１２が、記憶部１１４に記憶された電子マネー残高から商品の代金の減額処理を行う（ステップＳ２２）。
【００２２】
次に、比較部１２３は、非接触ＩＣカード機能部１１０の記憶部１１４に記憶された電子マネーの残高と設定情報記憶部１３２に格納された最低残高とを比較する（ステップＳ２３）。ここで、設定情報記憶部１３２の最低残高よりも記憶部１１４の電子マネー残高が少ない場合はステップＳ２４へ移行する。このように、電子マネーの残高が所定の最低残高以下になり、ユーザに報知すべきイベントが発生することを、以下、「報知イベント発生」と記す。なお、ステップＳ２３にて、記憶部１１４の電子マネー残高が多い場合はステップＳ２１へ戻る。
【００２３】
ステップＳ２３にて、記憶部１１４の電子マネー残高の方が少ないと判定された場合、すなわち報知イベント発生時に、制御部１２０は、設定情報記憶部１３２に記憶されている通知タイミングにより規定される要件が満たされているか否かを判定する（ステップＳ２４）。すなわち、前述した図３の例において、「使用時ごとに報知」が設定されている場合には、通知タイミングにより規定される要件は常に満たされ、報知イベント発生時は常に「はい」を経てステップＳ２５に移行する。また、図３にて「１日１回までの報知」が設定されている場合には、日付変更後最初のイベント発生時には「はい」を経てステップＳ２５に移行するが、同じ日付内で２度目以降の報知イベント発生時には「いいえ」を経てこの処理を終了する。
【００２４】
ステップＳ２４にて「はい」を経る場合、すなわち報知イベント発生時が報知すべきタイミングである場合には、接続監視部１２２は音声出力Ｉ／Ｆ１９０に外部音声出力機器（イヤホン、ヘッドホン等）３００が接続されているか否かを判定する（ステップＳ２５）。外部音声出力機器３００が接続されていない場合はステップＳ２８へ移行し、報知情報記憶部１３３に電子マネー残高が最低残高以下になったという情報が格納される。
【００２５】
ステップＳ２５にて外部音声出力機器３００が接続されていると判定された場合は、制御部１２０は、電子マネー残高が最低残高以下となった旨を報知する報知音声を生成し、生成した報知音声データと外部音声出力機器３００に送っている音声・音楽データなどを音声合成部１６０で合成する（ステップＳ２６）。音声合成部１６０は、外部音声出力機器３００に送っている音声・音楽データの一時中断と報知音声データの挿入、および、音声・音楽データの音量の調節と報知音声データの重ね合わせ等の、音声や音楽の加工を司っている。音声合成部１６０による音声の合成が行われた後、外部音声出力機器３００を通じて電子マネー残高が最低残高以下となった旨がユーザに報知される（ステップＳ２７）。なお、図３で説明した設定において、電子マネー残高も報知する設定がなされている場合には、電子マネーの残高が最低残高以下となった際の電子マネーの残高そのものも合わせて報知する。
【００２６】
また、ユーザ設定部１５０では、ユーザは通常の購入金額を想定して最低残高を設定するが、生活のパターンが変わり当初設定した最低残高では支払時に電子マネーが不足することが多くなることも想定される。その場合は、自動的に最低残高を変更するか、または最低残高を変更するようにユーザに注意を促すこともできる。
【００２７】
このように、本実施例によれば、電子マネーの残高が所定の残高以下となった旨の報知を、ユーザが所望するタイミングで行うことができる。したがって、例えば、ユーザは、携帯端末装置１００の表示部１０５を見ていない場合でも、電子マネーの残高が所定の残高以下となった旨を知ることができ、さらに、電子マネーに関する非接触通信を行うたびにその旨が報知される煩わしさも回避できる。
【００２８】
第２の実施の形態
図１は、第２の実施の形態に係る携帯端末装置のブロック図である。この携帯端末装置１００のブロック図において、第1の実施の形態と同一の機能を果たす部分については説明を省略し、異なる部分について説明する。携帯端末装置１００において、非接触ＩＣカード機能部１１０の記憶部１１４は、定期乗車券またはポイントカードのポイント（購買額や来店回数などに応じてユーザに与えられ、品物やサービスと交換可能な電子的価値情報）の有効期限（有効期日）を格納する。ユーザ設定部１５０にて、ユーザは、定期乗車券またはポイントカードのポイントの有効期限が切れるまでの所定の日数を設定することができ、設定情報記憶部１３２は、前記ユーザ設定部１５０で設定された所定の日数を格納する。また、動作判定部１２１は、外部装置２００（例えば、店舗レジやＰＯＳ等の支払端末、または交通機関で運賃を支払うための支払装置）との非接触通信が行われた際に、定期乗車券またはポイントカードのポイントの有効期限を確認する処理が行われたか否か、またはポイントの追加／引き落としが発生したか否かを判定する。
【００２９】
以下、店舗／改札口ゲート、支払端末装置２００が、鉄道やバス等の公共交通機関で定期乗車券の有効期限を管理する装置等である場合を例に説明するが、定期乗車券またはポイントカードのポイントの有効期限を管理できる装置で有れば店舗／改札口ゲート、支払端末装置２００とみなすことができる。
【００３０】
比較部１２３は、非接触通信が行われて定期乗車券の有効期限が確認処理された後に、設定情報記憶部１３２に格納された所定の日数と記憶部１１４に記憶された有効期日とを比較し、通知部１２４は、記憶部１１４に記憶された有効期日が設定情報記憶部１３２に格納された所定の日数以下の場合にユーザにその旨を通知する。本実施の形態では、このように、有効期日が所定の日数以下になり、ユーザに報知すべきイベントが発生することを、以下、「報知イベント発生」と記す。設定情報記憶部１３２に格納された所定の日数は通常、公共交通機関（ＪＲや私鉄、バスなど）の継続定期乗車券が購入可能な１４日前に設定することが望ましく、初期設定として１４日に設定することもできる。しかし、ユーザ設定部１５０により、ユーザが携帯端末装置１００の表示部１０５を見ながら、定期乗車券の有効期限に達するまでの所定の日数を設定することもできる。図５は、携帯端末装置１００の表示部１０５における、上述した定期乗車券の有効期日までの所定の日数を設定する設定画面の一例である。
【００３１】
次に、第２の実施の形態に係る携帯端末装置１００による、定期乗車券の有効期日に関する報知タイミングの設定について説明する。図６は、携帯端末装置１００の表示部１０５において、定期乗車券の有効期日に関する報知タイミングを設定する際の設定画面の一例を示す図である。
【００３２】
本実施の形態では、定期乗車券の有効期日までの日数が所定の日数以下になった際に、当該発生したイベントを報知するタイミングをいくつかの項目から選択して設定する。図６に示す例では、発生したイベントを報知するタイミングとして、「定期乗車券の使用時ごとに報知」、「該当路線の使用時に報知」、「改札入場時に報知」、「改札出場時に報知」、
「１日１回までの報知」などを、ラジオボタンの各種項目から選択できる。
【００３３】
「定期乗車券の使用時ごとに報知」の項目は、定期乗車券の有効期日までの日数が所定の日数以下になってから非接触ＩＣカード機能部１１０により定期乗車に関する通信が行われるたびに、すなわち報知イベント発生時ごとに、通知部１２４が報知を行う設定を想定している。「該当路線の使用時に報知」の項目は、例えば路線または交通手段に応じて複数の定期乗車券を使い分けている場合に、定期券の有効期限切れが近い路線（または交通手段）で非接触ＩＣカード機能の非接触通信が行われたタイミングで報知する設定を想定している。「改札入場時に報知」および「改札出場時に報知」の項目は、それぞれ改札に入場する時、および改札から出場する時の非接触ＩＣカード機能の非接触通信が行われたタイミングで報知する設定を想定したものである。「１日１回までの報知」の項目は、定期乗車券の有効期日までの日数が所定の日数以下になってから、日付変更後に最初の定期乗車に関する通信が行われる場合には報知するが、それ以降は次の日付変更までは報知しない設定にすることにより、１日１回までの報知に制限する設定を想定している。これらの各種設定項目について、ユーザ設定部１５０からの入力により受け付けた設定の情報は、設定情報記憶部１３２に格納する。
【００３４】
次に、図７のフローチャートを用いて、本発明の携帯端末装置における定期乗車券機能を利用して、定期乗車券の有効期日までの日数が所定の日数以下となった旨の報知動作を、例えばユーザが改札口を通過した場合を想定して説明する。なお、非接触ＩＣカード機能部１１０の記憶部１１４には、定期乗車券発行機もしくは携帯端末装置１００の無線通信機能により接続可能なインターネットなどを介して、非接触ＩＣカード機能部１１０が定期乗車券としての機能を実現するための乗車区間や有効期限等の情報を記憶させてあるものとする。まず、ユーザが改札口を通過する際に、携帯端末装置１００を外部装置（店舗／改札口ゲート、支払端末装置）２００のリーダ・ライタ面（図示せず）にかざす、触れる等の動作を行うと、外部装置２００と携帯端末装置１００との間で非接触通信が行われ、動作判定部１２１は改札口を通過する動作が発生したか否かの判定を行う（ステップＳ３１）。通過動作が発生した場合、非接触ＩＣカード機能部１１０の管理部１１２は、記憶部１１４に記憶された有効期日と当日の日付データ、設定情報記憶部１３２に格納されている所定の日数データを取得する。なお当日の日付データは、外部装置２００、携帯端末装置１００の時計機能等のどちらから取得しても良い（ステップＳ３２）。
【００３５】
次に、比較部１２３は、管理部１１２が取得した有効期日と当日の日付データとに基づき、設定情報記憶部１２３に格納されている所定の日数より有効期日までの残日数（余裕）が多いか少ないかを判定する（ステップＳ３３）。有効期日までの残日数が所定の日数より多い場合はステップＳ３１に戻る。しかしながら、有効期日までの残日数が所定の日数より少ない場合、すなわち報知イベント発生時には、ステップＳ３４へ移行する。
【００３６】
ステップＳ３４では、制御部１２０は、設定情報記憶部１３２に記憶されている通知タイミングにより規定される要件が満たされているか否かを判定する。ここでの、報知イベント発生時が通知すべきタイミングの要件と合致するか否かの判定については、第１の実施の形態と同様の処理を行う。
【００３７】
ステップＳ３４にて「はい」を経る場合、すなわち報知イベント発生時が報知すべきタイミングである場合には、接続監視部１２２により音声出力Ｉ／Ｆ１９０の接続状況を確認し、外部音声出力機器３００が接続されているか否か確認を行う（ステップＳ３５）。ステップＳ３５で外部音声出力機器３００が接続されていない場合はステップＳ３８へ移行し、報知情報記憶部１３３に報知情報（有効期日が近づいている旨）を記憶する。ステップＳ３５で外部音声出力機器３００が接続されている場合は、制御部１２０は有効期日が迫っている旨を報知する報知音声を生成し、生成した報知音声を通知部１２４より音声合成部１６０に送る。その後、音声合成部１６０にて、有効期日が迫っている旨を報知する報知音声データと外部音声出力機器３００に送っている音声、音楽データなどを合成する（ステップＳ３６）。次に、ステップＳ３７で外部音声出力機器３００（この場合、イヤホン）を通じて定期乗車券の有効期日が迫っている旨（残日数等）をユーザに報知する。以上の処理により、定期乗車券が切れる前に継続購入を促すことができる。
【００３８】
ここで、ユーザへの報知方法として、定期券の有効期日が近づくにつれて、音量が徐々に大きくなる、報知回数が増えてくるといった手法も効果的である。
【００３９】
このように、本実施例によれば、定期乗車券の有効期日が近づいた旨の報知を、ユーザが所望するタイミングで行うことができる。したがって、第１の実施の形態と同様に、例えば、ユーザは、携帯端末装置１００の表示部１０５を見ていない場合でも、定期乗車券の有効期日が近づいた旨を知ることができ、さらに、定期乗車券に関する非接触通信を行うたびに（例えば改札口に入場や出場するたびに）その旨が報知される煩わしさも回避できる。
【００４０】
第３の実施の形態
次に、ユーザが外部音声出力機器（イヤホン、ヘッドホン等）３００を非利用時に報知すべき状況が発生した場合の携帯端末装置１００の処理を、図８のフローチャートで説明する。すなわち、図４および図７における、それぞれステップＳ２５、Ｓ３５で外部音声出力機器３００と接続していないと判定され、ステップＳ２８、Ｓ３８で報知すべき状況が報知状況記憶部１３３に格納されている状態である。
【００４１】
ユーザは携帯端末装置１００に外部音声出力機器３００を装着せずに、外部装置２００への支払処理、または改札口の通過を行い、このときに携帯端末装置１００では電子マネーの残高が最低残高以下となったことや定期券の有効期日が間近であることを検出し、報知情報記憶部１３３にその旨を記憶していたとする。その状態で、ユーザがラジオ、ＴＶの音声または音楽などを楽しもうと、外部音声出力機器３００を装着すると、報知処理が開始される。外部音声出力機器３００が音声出力Ｉ／Ｆ１９０に接続され、音声の信号線がスピーカ１４０から切り替わると、制御部１２０が検出信号を受け取る。比較部１２３は、報知情報記憶部１３３に報知情報（報知すべき状況）が記憶されているかの確認を行う（ステップＳ４１）。報知情報記憶部１３３に報知情報が記憶されていない場合は処理を終了し、通常の音声出力を続行する。報知情報がある場合はステップＳ４２へ移行し、制御部１２０は、報知情報に基づく報知音声を生成する。報知情報としては、電子マネー残高が最低残高以下である、定期券の有効期日が近づいている等の情報であり、「残高が２，５００円です。」、「１３日後に定期券の有効期限が終了します。」等の音声データを生成する（ステップＳ４２）。
【００４２】
ステップＳ４３では、ユーザへの音声の出力が発生したか否か（例えば、音声データの入出力に係わるスイッチが押されたかどうか）を動作判定部１２１が判定する。これは、ＴＶ、ラジオ、音楽等を聞く場合には、通常、ユーザは、外部音声出力機器３００を音声出力Ｉ／Ｆ１９０に接続して耳に装着してから再生ボタンを押下する等により視聴を開始することから、視聴開始のタイミングを検出するものである。すなわち、外部音声出力機器３００が音声出力Ｉ／Ｆ１９０に接続されたときに報知情報を外部音声機器に出力しても、ユーザはまだ外部音声出力機器３００を耳に装着しておらず、報知情報がユーザの耳に届かない状況があり得ることを考慮したものである。ユーザの意志により音声の出力が指示されたとき、すなわち、ＴＶ、ラジオ、音楽等の視聴開始ボタンが操作された時であればイヤホン等をユーザが装着していると考えられ、ユーザに確実に情報を伝えることができる。
【００４３】
ステップＳ４４で、ユーザに視聴開始を指示された音声・音楽などを出力する際に、報知情報に基づく報知音声を、外部音声出力機器３００を通じて報知する。音声通知データの報知後には報知情報記憶部１３３の内容は消去される。このことで、何回も音声通知を聞くことが避けられる。
【００４４】
ここで、定期乗車券などの有効期日が近いことを報知する処理を行う場合に、比較部１２３は、外部装置２００を通過した日付と現在の日付を確認し、両者が一致しない場合は日数の差分を演算し、報知音声データの内容を変えることも出来る。例として、改札を通過した時点では「１３日前」であったが、外部音声出力機器３００を装着したのが翌日で有れば、「１２日後に定期券の有効期限が終了します。」等の報知音声が作成される。
【００４５】
ユーザ設定部１５０は、テンキー等で構成され、上述したように有効期日の余裕日数を設定することができるほか、チェックボタン等を表示し、余裕日数に応じて音量を上げる、通学、通勤ルート変更に伴う機能の停止および変更など、詳細な設定ができる。
【００４６】
なお、報知情報記憶部１３３に格納されている報知情報の報知は、上述のように外部音声出力機器３００が接続され音声の出力が開始されたときだけではなく、音声の出力がユーザによって一時停止／全停止されたとき、音声の出力が開始されたとき、或いは開始から所定の時間が経過したとき等に行うように、設定することもできる。また、ユーザ設定部１５０、携帯端末装置１００の数字ボタン等の入力インタフェース（図示せず）または携帯端末装置１００の背面や側面に設けたボタン（図示せず）によって、ユーザの好きなときに報知状況があるか否かを確認できるようにすることも可能である。
【００４７】
なお、本発明は、上述した実施の形態にのみ限定されるものではなく、幾多の変更または変形が可能である。例えば、上述した第１および第２実施の形態では、図３および図６に示したように、報知イベント発生時に当該イベントを音声で報知するタイミングのユーザによる選択を、ラジオボタンの各種項目から受け付けるようにした。しかしながら、この設定時の選択入力はラジオボタンによる入力受け付けに限定されず、報知タイミングの各種項目を詳細に列挙したチェックボックスを表示し、そのチェックボックスの中から複数の項目を組み合わせた選択を受け付けるようにもできる。例えば、上記第２実施の形態では、「該当路線使用時に報知」の項目と、「改札出場時に報知」の項目と、「１日２回までの報知」を組み合わせて選択し、「改札入場時に報知」の項目は選択しない、というような報知の態様など、各種の態様を想定できる。このように、複数の報知タイミングの項目を組み合わせて選択可能にする場合には、各種項目の整合性を維持して選択でき、かつ矛盾した項目の選択ができないように、予め各種の選択項目を用意し、選択できるようにする。
【００４８】
また、上述した各実施の形態において、音声による報知イベントが発生した場合（図４のステップＳ２７および図８のステップＳ４４）に、外部音声出力機器３００からの音声報知と共に、さらにその報知内容を表示部１０５に表示することもできる。例えば、音声による報知イベントが発生した場合、図９（Ａ）に示すように、携帯端末装置１００の表示部１０５上に、報知イベント発生時に報知すべき内容を表示できる。このように報知内容を表示部１０５に表示する際には、当該報知内容を、例えば認識し易い色で表示したり、輝度や色相を短時間に可変させて表示したりする等、ユーザの注意を喚起するような態様で表示するのが好適である。
【００４９】
なお、携帯端末装置１００にイヤホンなどの外部音声出力機器３００を接続している際は、ユーザは、携帯端末装置１００の表示部１０５を目視しているとは限らない。そのため、例えば図９（Ｂ）に示すように、携帯端末装置１００の表示部１０５とは別の部位にある例えば背面表示部１０６に報知すべき内容を表示し、さらにバイブレータ（図示せず）などによる振動を発生させることで、報知すべきイベントが発生したことをユーザに知らせることもできる。このようにすれば、聴覚のみならず視覚的および／または触覚的にもイベントの報知を認識できるため、例えばイヤホンが耳から外れるなどして音声を聞き逃した場合であっても、報知イベントを知ることができる。
【００５０】
さらに、このような表示および／または振動による報知は、音声報知と非連動で（つまり報知イベント発生時とはずらした時点で）動作させることも可能である。この場合、音声による報知イベント発生時に、所定の時間だけ前の、または後の時点で、表示および／または振動による報知を行うようにできる。また、図４のステップＳ２４にて報知イベント発生時に、ユーザの設定により音声報知すべきタイミングでない場合（ステップＳ２４の「いいえ」）であっても、音声による報知はせずに、代わりに表示および／または振動のみによる報知をすることもできる。このようにすることで、ユーザが音声による報知を求めていない場合でも、他の手段で報知すべきイベントを知らせることができる。同様に、図４のステップＳ２５にて、イヤホンを装着していなかった場合に、表示および／または振動による報知をすることもできる。どのようなタイミングで表示および／または振動による報知を行うようにすべきかも、事前に設定できるように構成するのが好適である。
【００５１】
なお、本発明の各実施の形態に係る携帯端末装置１００は、典型的には携帯電話等の端末装置とすることができるが、これに限定されるものではなく、ＰＤＡ等の携帯端末装置を含む様々な携帯端末装置にも応用できる。さらに、本発明をプログラムとして実現させ、無線通信機能を利用してインターネット網からダウンロードし、携帯端末装置の記憶部、或いは、携帯端末装置に内蔵された非接触ＩＣカード機能部内の記憶部に格納して、上述した諸機能をもたせることもできる。この場合には、非接触ＩＣカード機能部内のプロセッサが、ダウンロードしたプログラムを実行する構成を取ることも可能である。さらに、上述した実施態様では、公共交通機関（電車やバスなど）の乗車を例として説明したが、これに限定されるものではなく、タクシー等で用いることもできる。
【００５２】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、あるいは分割したりすることが可能である。
【図面の簡単な説明】
【００５３】
【図１】本発明に係る携帯端末装置のブロック図の一例である。
【図２】本発明に係る携帯端末装置の、電子マネーの所定の残高の設定画面の一例である。
【図３】本発明に係る携帯端末装置の、電子マネーに関する報知タイミングを設定する設定画面の一例である。
【図４】本発明に係る携帯端末装置の電子マネー支払処理のフローチャートである。
【図５】本発明に係る携帯端末装置の、定期乗車券の有効期限までの所定の日数の設定画面の一例である。
【図６】本発明に係る携帯端末装置の、定期乗車券の有効期日に関する報知タイミングを設定する設定画面の一例である。
【図７】本発明に係る携帯端末装置の有効期限確認処理のフローチャートである。
【図８】本発明に係る携帯端末装置の、外部音声出力機器（イヤホン等）の接続後における音声報知処理のフローチャートである。
【図９】本発明に係る携帯端末装置において、定期乗車券の有効期日に関する報知を表示により示す形態の一例である。
【符号の説明】
【００５４】
１００  携帯端末装置
１０５  表示部
１０６  背面表示部
１１０  非接触ＩＣカード機能部
１１２  管理部
１１４  記憶部
１２０  制御部
１２１  動作判定部
１２２  接続監視部
１２３  比較部
１２４  通知部
１２５  通知タイミング設定部
１３０  記憶部
１３１  報知データ記憶部
１３２  設定情報記憶部
１３３  報知情報記憶部
１３４  音楽記憶部
１４０  スピーカ
１５０  ユーザ設定部
１６０  音声合成部
１７０  送受信装置
１８０  外部メモリインタフェース
１９０  音声出力インタフェース
２００  外部装置
３００  外部音声出力機器
４００  外部メモリ
ＡＮＴ１、ＡＮＴ２  アンテナ
【図１】
0005398166.tif 000002
【図２】
0005398166.tif 000003
【図３】
0005398166.tif 000004
【図４】
0005398166.tif 000005
【図５】
0005398166.tif 000006
【図６】
0005398166.tif 000007
【図７】
0005398166.tif 000008
【図８】
0005398166.tif 000009
【図９】
0005398166.tif 000010